(57)【特許請求の範囲】
【請求項１】
便器に供給される洗浄水を貯溜するタンクの底部に設けられ便器へ洗浄水を供給または停止する排水弁に接続された引上げ部材と、回動操作により排水弁を開弁させるためのハンドルに連結されたスピンドルとをフックによって接続するフック接続構造において、
前記フックは略円環状のスピンドル取付部を有し、前記スピンドルには前記スピンドル取付部を貫通させる貫通孔が先端部近傍に穿設されたフック係止部を突設し、
このフック係止部の基端部と前記貫通孔との間の外径寸法を前記スピンドル取付部の最大内径寸法より大きい寸法とするとともに、前記フック係止部を前記貫通孔から先端部側に向って先細り形状として、
前記スピンドルの回転に連動して前記フックが回動する際の前記フックのねじれ方向の運動を規制することを特徴とするフック接続構造。
【請求項２】
前記先細り形状が円錐形状若しくは四角錐形状であることを特徴とする請求項１に記載のフック接続構造。
【発明の詳細な説明】
【０００１】
【産業上の利用分野】
この発明は、便器に供給される洗浄水を貯溜するタンクの底部に設けられ便器へ洗浄水を供給または停止する排水弁に接続された引上げ部材と、回動操作により排水弁を開弁させるためのハンドルに連結されたスピンドルとを接続するフックの接続構造に関する。
【０００２】
【従来の技術】
従来、この種のフック接続構造として実開平６−７４６７４に開示されているものを詳述すると次の通りである。図５に示すごとく便器に供給する洗浄水を貯溜するタンクの壁面Ｗには、ハンドル１が回動操作可能に取付けられ、このハンドル１にはハンドル１の回動操作に連動するとともに先端側の垂下片３ａ（フック係止部）に貫通孔３ｂが穿設された合成樹脂製のスピンドル３が壁面Ｗの内側に突出状に連結され、このスピンドル３の貫通孔３ｂには針金で略Ｓ字に形成されたフック４のスピンドル取付部４ａが取付けられており、このフック４の玉鎖係止部４ｂには玉鎖５が係止され、玉鎖５の下端部には図示せぬがタンクに貯溜された洗浄水を便器へ供給または停止する排水弁に接続されている。尚、スピンドル３の先端側の垂下片３ａは、スピンドル３が合成樹脂製なので、排水弁を引き上げる際に作用する力に耐えるための比較的厚肉の肉厚Ｔｊを備えている。ハンドル１を回動操作する前の状態では、スピンドル３の貫通孔３ｂは排水弁の玉鎖５が接続されている部分のほぼ鉛直上に位置している。この状態から、ハンドル１を回動操作すると、スピンドル３がハンドル１に連動して回動され、フック４を介して玉鎖５を上方へ引き上げ、これによって排水弁が開弁され、タンク内に貯溜されている洗浄水が便器へ供給されるが、この時スピンドル３の貫通孔３ｂは排水弁の玉鎖５が接続されている部分の斜め上に位置している。
【０００３】
【発明が解決しようとする課題】
しかし、このような従来構造においては、勢いよくハンドル１を回動操作すると、スピンドル３がスピンドル３の可動範囲限界に達して回動が終了しても、フック４には慣性力が働いているので、図６に示すごとくフック４がねじれながら裏返りスピンドル３の垂下片３ａの肉厚Ｔｊ上に乗ることがある。この時、フック４の玉鎖係止部４ｂは、排水弁の玉鎖５が接続されている部分の斜め上且つ排水弁の玉鎖５が接続されている部分に対する水平方向の距離がスピンドル３の貫通孔３ｂよりも近い所に位置しているので、フック４には排水弁の自重などによってフック４をスピンドル３上に載せ続けようとする引っ張り方向の力が作用する。この結果、この状態からハンドル１を元の状態に戻してもフック４が裏返ったままとなるので、排水弁はフック４のスピンドル取付部４ａと玉鎖係止部４ｂとの距離相当だけ開弁したままとなり、タンク内に貯溜されている洗浄水が流出し続けるという問題点があった。
本発明はかかる事情に鑑みてなされたもので、本発明の目的は、勢いよくハンドルを回動操作してもフックが裏返り、タンク内に貯溜されている洗浄水が流出し続けることのないフック接続構造を提供することにある。
【０００４】
【課題を解決するための手段および作用、効果】
上記課題を解決するために、請求項１に記載の発明は、便器に供給される洗浄水を貯溜するタンクの底部に設けられ便器へ洗浄水を供給または停止する排水弁に接続された引上げ部材と、回動操作により排水弁を開弁させるためのハンドルに連結されたスピンドルとをフックによって接続するフック接続構造において、前記フックは略円環状のスピンドル取付部を有し、前記スピンドルには前記スピンドル取付部を貫通させる貫通孔が先端部近傍に穿設されたフック係止部を突設し、このフック係止部の基端部と前記貫通孔との間の外径寸法を前記スピンドル取付部の最大内径寸法より大きい寸法とするとともに、前記フック係止部を前記貫通孔から先端部側に向って先細り形状として、前記スピンドルの回転に連動して前記フックが回動する際の前記フックのねじれ方向の運動を規制することを特徴とする。そうすることにより、勢いよくハンドルを回動操作してフックが跳ね上がってもフックのスピンドル取付部のねじれ方向の動きが規制され、フックの裏返りが防止できる。
【０００５】
特に、フックのフック係止部に係止するスピンドル取付部が略円環状であるため、フックとフック係止部に穿設した貫通孔とのクリアランスを大きくすることにより相互の接触抵抗が小さく、フックがねじれる動きをしても元の姿勢に戻りやすい。その結果、勢いよくハンドルを回動操作してもフックが裏返った状態のままとならず、タンク内に貯溜されている洗浄水が流出し続けることを防止できる。
【０００６】
しかも、前記フック係止部の外形形状が前記貫通孔から先端部側に向って先細り形状としていることにより、引上げ部材を引き上げていない状態では、引上げ部材がタンク内に貯溜される洗浄水の影響によって揺れ動いてもフックの可動域の規制が少ないため、引上げ部材やフックに作用する応力を緩和することが可能となり、引上げ部材の破壊やフックの変形を防止できる。
【０００７】
本発明の好ましい態様としては、前記先細り形状が円錐形状若しくは四角錐形状であるようにする。
そうすることにより、引上げ部材を引き上げていない状態では、引上げ部材がタンク内に貯溜される洗浄水の影響によって揺れ動いても係止部の全周囲に亘ってフックの可動域の規制が少なくなるため、より引上げ部材やフックに作用する応力を緩和することが可能となり、引上げ部材の破壊やフックの変形を防止できる。
【０００８】
【発明の実施の形態】
以下、本発明の一実施例を図面に基づいて説明する。図１は本発明に係るフック接続構造の側面図であり、図２は図１のフック接続構造のアイソメ図である。図３は図１のフック接続構造の部分拡大図である。
フック接続構造は、引上げ部材であるステンレス製の玉鎖５と、使用者に回動操作されるハンドル１に連結されたスピンドル３と、フック４によって構成されている。
【０００９】
図１に示すように、ハンドル１は側面形状が略Ｌ字に形成されており長辺側は使用者が掴みやすいように板状に形成され、短辺側にはスピンドル３の軸部３１が連結されている。
【００１０】
スピンドル３は、基端側がハンドル１に連結され先端側上部に所定の間隔で複数の孔が穿設された軸部３１と、軸部３１を回動自在に保持する支持部３３と、タンク壁面Ｗに開設された開口Ｗ１に支持部３３を固定するためのナット３２と、フック４が接続されるフック係止部６を備えたレバー７と、レバー７を軸部３１に固定するためのピン８から構成されている。
【００１１】
レバー７は、一端に軸部３１を挿通するための挿通口が形成され、他端に上下方向に突出したフック係止部６を２つ備えている。フック係止部６は、基端部６ｃから先端部に向って上下方向に細長い四角柱状に形成され、その上下方向の先端部近傍にフック４を係止する貫通孔６ａが穿設されている。そして、貫通孔６ａよりも下方は先端側に向かって四角錐状に細長く形成されている。また、レバー７の挿通口の上部にはピン８が挿入される小孔があけられている。尚、２つのフック係止部６の内、一方はタンクの底部に設けられタンクに貯留された洗浄水を多量に便器へ供給する大洗浄用排水弁（図示しない）に接続されるものであり、もう一方は少量の洗浄水を便器へ供給する小洗浄用排水弁（図示しない）に接続されるものである。
【００１２】
レバー７の軸部３１への固定は、レバー７に形成された挿通口を軸部３１の先端側に差込み、軸部３１に所定の間隔で穿設された孔の内、使用者がハンドル１を回動操作した時にレバー７がタンク内に組付けられているオーバーフロー管（図示しない）等に干渉しない孔に挿通口の上部の小孔を位置合せした後、ピン８を挿通口の上部の小孔を貫通させて軸部３１の孔に挿入することで行われる。このように、レバー７はピン８によって軸部３１に対して回転や脱落できない状態で組付けられ、軸部３１はハンドル１に連結されることによって、使用者のハンドル１の回動操作にレバー７が連動することになる。
【００１３】
フック４はフック係止部６の貫通孔６ａに係止する略円環状のスピンドル取付部４ａと、玉鎖５を係止する玉鎖係止部４ｂを有し、スピンドル取付部４ａと玉鎖係止部４ｂとが連続した略Ｓ字形状をなしている。スピンドル取付部４ａの最大内径Ｌ１はフック係止部６の貫通孔６ａが穿設された部分の幅寸法よりも大きく、フック係止部６の貫通孔６ａと基端部６ｂの間の拡径部６ｃの幅寸法Ｌ２より小さい寸法をなしている。
玉鎖係止部４ｂの内径寸法は玉鎖５の玉より小さくかつ玉鎖５の玉と玉を繋いでいるワイヤよりも大きく形成されている。
【００１４】
スピンドル３と大洗浄用排水弁（図示しない）または小洗浄用排水弁（図示しない）との接続は、大洗浄用排水弁（図示しない）または小洗浄用排水弁（図示しない）に一体的に取付けられている玉鎖５の玉と玉を繋いでいるワイヤをフック４の玉鎖係止部４ｂに挟み込ませた後、フック４のスピンドル取付部４ａをレバー７に設けられた２つのフック係止部６の内大洗浄用排水弁（図示しない）または小洗浄用排水弁（図示しない）に夫々対応するフック係止部６に穿設された貫通孔６ａに引っ掛けて行う。
【００１５】
次にフック接続構造の作動について説明する。
使用者がハンドル１を回動させるとこの回転運動がスピンドル３に伝わり、スピンドル３に連結されたレバー７も回動する。レバー７の回動によりレバー７に取り付けられたフック４を介して玉鎖５が引き上げられるため、玉鎖５が取付けられた大洗浄用排水弁（図示しない）または小洗浄用排水弁（図示しない）が開弁して、タンクに貯留された洗浄水が便器へ供給される。この時、ハンドル１を勢いよく回動させたとしてもレバー７に設けられたフック係止部６の拡径部６ｃの幅寸法Ｌ２がフック４のスピンドル取付部４ａの内径Ｌ１より大きいので、図４に示すようにフック４のねじれ方向の動きが規制され、フック４が一定の軌道で回動するためフック４の裏返りを防ぐことができる。
【００１６】
この結果、ハンドル１を回動させる前の元の状態に戻すと、引上げられた大洗浄用排水弁（図示しない）または小洗浄用排水弁（図示しない）が確実に閉弁するので、タンク内に貯溜されている洗浄水が流出し続けることを防止できる。更には、フック係止部６が上下方向に細長い四角柱状に形成されているので、ハンドル１を回動させて玉鎖５を引上げていない状態では、玉鎖５がタンク内に貯溜される洗浄水の影響によって揺れ動いてもフックの可動域に規制が少ないので、玉鎖５やフック４に作用する応力を緩和することが可能となり、引上げ部材である玉鎖５の破損やフック４の変形を防止することができる。
【図面の簡単な説明】
【図１】本発明のフック取付け状態の概略構成図。
【図２】図１のフック接続構造のアイソメ図。
【図３】図３は図１のフック接続構造の部分拡大図。
【図４】図１のフックのねじれが規制される状態の説明図。
【図５】従来のフック取付け状態の概略構成図。
【図６】従来のフックが裏返った状態を示す図。
【符号の説明】
１…ハンドル
３…スピンドル
３ａ…垂下片（フック係止部）
３ｂ…貫通孔
４…フック
４ａ…スピンドル取付部
４ｂ…玉鎖係止部
５…玉鎖
６…フック係止部
６ａ…貫通孔
６ｂ…基端部
６ｃ…拡径部
７…レバー
８…ピン
３１…軸部
３２…ナット
３３…接続口
Ｗ…タンク壁面
Ｗ１…開口
Ｌ１…スピンドル取付部４ａの最大内径
【図１】
0003726896.tif 000002
【図２】
0003726896.tif 000003
【図３】
0003726896.tif 000004
【図４】
0003726896.tif 000005
【図５】
0003726896.tif 000006
【図６】
0003726896.tif 000007